(57)【要約】      （修正有）【課題】高い防虫効力を奏し、常温揮散性薬剤の揮散と昇華性物質の昇華がほぼ同時期に終了するために使用の終点表示が明確であり、しかも製造性に優れた防虫剤の提供。【解決手段】エムペントリン、トランスフルトリン、プロフルトリン及びメトフルトリンから選ばれた１種又は２種の常温揮散性薬剤を昇華性物質に０．５〜２．０重量％担持させてなる薬剤担持体を可撓性袋に収納し、その袋は両面又は片面が肉厚１０〜３０μｍの薬剤透過性フィルムで内面ラミネートされた目付１０〜５０ｇ／ｍ2の和紙又は不織布であるか、もしくは積層延展法により製造された目付１０〜５０ｇ／ｍ2の長繊維不織布であり、片面の場合は他面が薬剤非透過性フィルムにて形成される。薬剤担持体が昇華性物質の昇華に伴い縮小しても、薬剤担持体の少なくとも一部が可撓性袋の内面に接する構成となし、薬剤担持体の消失状態を目視することによって、使用終点を認知できるようにした。【選択図】図１
2006296351.tif 000002
【特許請求の範囲】
【請求項１】
エムペントリン、トランスフルトリン、プロフルトリン及びメトフルトリンから選ばれた１種又は２種の常温揮散性薬剤を昇華性物質に０．５〜２．０重量％担持させてなる薬剤担持体を可撓性袋に収納した防虫剤において、この可撓性袋の両面又は片面が肉厚１０〜３０μｍの薬剤透過性フィルムで内面ラミネートされた目付１０〜５０ｇ／ｍ2の和紙又は不織布であるか、もしくは積層延展法により製造された目付１０〜５０ｇ／ｍ2の長繊維不織布であり、片面の場合は他面が薬剤非透過性フィルムにて形成され、前記薬剤担持体が前記昇華性物質の昇華に伴い縮小しても、前記薬剤担持体の少なくとも一部が前記可撓性袋の内面に接する構成となし、前記薬剤担持体の消失状態を目視することによって、使用終点を認知できるようにしたことを特徴とする防虫剤。
【請求項２】
可撓性袋の両面が、肉厚１０〜３０μｍの薬剤透過性フィルムで内面ラミネートされた目付１０〜５０ｇ／ｍ2の和紙又は不織布であることを特徴とする請求項１記載の防虫剤。
【請求項３】
常温揮散性薬剤が、プロフルトリン又はメトフルトリンであることを特徴とする請求項１又は２記載の防虫剤。
【請求項４】
昇華性物質が、２，４，６−トリイソプロピル−１，３，５−トリオキサン又はアダマンタンであることを特徴とする請求項１ないし３のいずれか記載の防虫剤。
【発明の詳細な説明】
【技術分野】
【０００１】
本発明は、常温揮散性薬剤を昇華性物質に担持させてなる薬剤担持体を可撓性袋に収納してなる防虫剤の改良に関するものである。
【背景技術】
【０００２】
従来、衣類用防虫剤としては、固形状のパラジクロルベンゼン、ナフタリン、樟脳等の昇華性防虫剤と、エムペントリン等の液状の常温揮散性薬剤を紙、プラスチック等の担持体に含浸させ容器に収納した防虫剤が知られている。
前者の昇華性防虫剤は、イガやヒメカツオブシムシ等の衣料害虫に対する効力が弱く、また有害性、環境汚染性等の点で問題となっている。一方、エムペントリン等の常温揮散性ピレスロイド剤は、前者の昇華性防虫剤に比べて防虫力は高く、僅かな量で防虫効力を示すが、紙、プラスチック等の担持体に含浸させた形態では、効力終点時においても外観的に何ら変化を起こさず、使用の終点を明確に認知することができない。
【０００３】
そこで、エムペントリン等の液状の常温揮散性薬剤を昇華性物質に担持させ、昇華性物質の消失をインジケーターに利用しようとする提案がある。例えば、特開昭６１−８３１０２号公報に、パラジクロルベンゼンやナフタリン等の昇華性物質の成形基材内にエムペントリン等の油性防虫薬剤を含有せしめ、通気性の和紙によって包装したものが記載されている。しかしこの場合、薬剤が通気性の和紙を通して無制約に拡散するので防虫効果が長続きしない。また、特開平７−２８５８０５号公報は、常温揮散性薬剤と昇華性物質を組み合わせた錠剤を、一部が透明な樹脂製フィルムからなり、他の部分が不織布又は紙等の通気性材料でかつその内面の一部分にガス透過抑制層を形成した通気性材料からなる包装容器に収納した衣料害虫用防虫剤を開示する。この防虫剤は、常温揮散性薬剤の揮散終了と昇華性物質の昇華終了がほぼ同時期になるように意図したものであるが、実施例に示される如く、昇華性物質であるサンサブリ（２，４，６−トリイソプロピル−１，３，５−トリオキサン）に対するエムペントリンの含有量が高く、目付の大きい不織布を使用したとしても薬剤の滲み出しの危惧が避けられず、また目付の大きい不織布では揮散や昇華速度の調整も難しい。更に、通気性材料の内面の一部分にガス透過抑制層を形成する必要があるなど、構成が複雑で製造性にも問題があり、必ずしも実用的に満足のいくものとは言えない。
【特許文献１】特開昭６１−８３１０２号公報
【特許文献２】特開平７−２８５８０５号公報
【発明の開示】
【発明が解決しようとする課題】
【０００４】
本発明は、高い防虫効力を奏するとともに、常温揮散性薬剤の揮散と昇華性物質の昇華がほぼ同時期に終了するために使用の終点表示が明確であり、しかも製造性に優れた防虫剤を提供することを目的とする。
【課題を解決するための手段】
【０００５】
本発明は、上記課題を解決するため、次のような構成を採用する。
（１）エムペントリン、トランスフルトリン、プロフルトリン及びメトフルトリンから選ばれた１種又は２種の常温揮散性薬剤を昇華性物質に０．５〜２．０重量％担持させてなる薬剤担持体を可撓性袋に収納した防虫剤において、この可撓性袋の両面又は片面が肉厚１０〜３０μｍの薬剤透過性フィルムで内面ラミネートされた目付１０〜５０ｇ／ｍ2の和紙又は不織布であるか、もしくは積層延展法により製造された目付１０〜５０ｇ／ｍ2の長繊維不織布であり、片面の場合は他面が薬剤非透過性フィルムにて形成され、前記薬剤担持体が前記昇華性物質の昇華に伴い縮小しても、前記薬剤担持体の少なくとも一部が前記可撓性袋の内面に接する構成となし、前記薬剤担持体の消失状態を目視することによって、使用終点を認知できるようにした防虫剤。
（２）可撓性袋の両面が、肉厚１０〜３０μｍの薬剤透過性フィルムで内面ラミネートされた目付１０〜５０ｇ／ｍ2の和紙又は不織布である（１）記載の防虫剤。
（３）常温揮散性薬剤が、プロフルトリン又はメトフルトリンである（１）又は（２）記載の防虫剤。
（４）昇華性物質が、２，４，６−トリイソプロピル−１，３，５−トリオキサン又はアダマンタンである（１）ないし（３）のいずれか記載の防虫剤。
【発明の効果】
【０００６】
本発明の防虫剤は、高い防虫効力を奏するとともに、常温揮散性薬剤の揮散と昇華性物質の昇華がほぼ同時期に終了するため使用の終点表示が明確であり、しかも製造性に優れているので、その実用性は極めて高い。
【発明を実施するための最良の形態】
【０００７】
本発明で用いられる常温揮散性薬剤は、エムペントリン、トランスフルトリン、プロフルトリン及びメトフルトリンから選ばれた１種又は２種である。これらのピレスロイド化合物は、従来のアレスリン、フラメトリン及びプラレトリンに比べて蒸気圧が高く、イガやヒメカツオブシムシ等の衣料害虫はもちろん、蚊、ハエ、ブユ、ユスリカ等の害虫に対して優れた殺虫、防虫効力を示す。なお、化合物の酸もしくはアルコール成分において、不斉炭素に基づく光学異性体や幾何異性体が存在する場合、それらの各々や任意の混合物も本発明に包含されることはもちろんである。
なかんずく、殺虫、防虫効力の点でより有効で、化学的安定性にも優れたプロフルトリン及びメトフルトリンが本発明の防虫剤に好適である。
【０００８】
本発明では、前記常温揮散性薬剤の揮散に支障を来たさない限りにおいて、揮散性に優れた他の殺虫、防虫成分、忌避成分、抗菌成分、防黴成分、消臭成分、芳香成分等を配合することができる。例えば、ヒノキチオール、テトラヒドロリナロール、オイゲノール、シトロネラール、アリルイソチオシアネート等の抗菌成分、イソプロピルメチルフェノール、オルトフェニルフェノール等の防黴成分、シトロネラ油、オレンジ油、レモン油、ライム油、ユズ油、ラベンダー油、ペパーミント油、ユーカリ油、ジャスミン油、檜油、緑茶精油、リモネン、α−ピネン、リナロール、、ゲラニオール、フェニルエチルアルコール、アミルシンナミックアルデヒド、クミンアルデヒド、ベンジルアセテート等の芳香成分、「緑の香り」と呼ばれる青葉アルコールや青葉アルデヒド配合の香料成分などがあげられる。
【０００９】
本発明は、前記常温揮散性薬剤の担体として昇華性物質を用いる。昇華性物質としては、２，４，６−トリイソプロピル−１，３，５−トリオキサン［商品名：サンサブリ（小川香料株式会社製）］、アダマンタン、トリシクロドデカン［商品名：アイサワーＤ（出光石油化学株式会社製）］、２−ヒドロキシカンファー（慣用名：ボルネオール）、２,２−ジメチル−１,３−プロパンジオール（慣用名：ネオペンチルグリコール）、などがあげられ、なかでも、２，４，６−トリイソプロピル−１，３，５−トリオキサンやアダマンタンが使いやすい。
【００１０】
本発明では、昇華性物質（通常０．５〜８ｇ、好ましくは１〜４ｇ）に対する常温揮散性薬剤の担持量を０．５〜２．０重量％に設定する。担持量が０．５重量％未満の場合、防虫効力の持続性に不足を生じる場合があり、一方、担持量が２．０重量％を超えると、薬剤担持体を収納する和紙又は不織布に滲みを生じる恐れがあり、これを防止するために和紙又は不織布の目付けを過度に大きくすると常温揮散性薬剤の揮散や昇華性物質の昇華制御が難しくなる。
昇華性物質の形状は任意であるが、板状、棒状、円盤状、ドーナツ状などに成形された錠剤が一般的である。
常温揮散性薬剤を担持させる方法としては、必要に応じ溶剤、界面活性剤、分散剤などを用いて薬剤を成形された昇華性物質に含浸させてもよいし、あるいは薬剤と昇華性物質の混合物を溶融後冷却するか、もしくは加圧機を用いて錠剤状に成形することができる。
【００１１】
本発明の薬剤担持体には、安定剤、着色剤、帯電防止剤などを適宜配合してもよい。色彩の付加は、商品価値を高めるだけでなく、常温揮散性薬剤の揮散終点を明瞭に視認させえることから好ましい。
【００１２】
また、担体の一部として昇華性物質以外のものを使用することもできる。例えば紙、パルプ、ビスコースなどのセルロース系担体、エチレン−酢酸ビニール系樹脂、ポリエステル、オレフィンポリマーなどの合成樹脂担体、ケイ酸カルシウムなどの無機質担体などがあげられる。ただし、これらの担体は薬剤の揮散にのみ関与し、表示機能は昇華性物質に委ねられることは勿論である。
【００１３】
本発明は、両面が肉厚１０〜３０μｍの薬剤透過性フィルムで内面ラミネートされた目付１０〜５０ｇ／ｍ2の和紙又は不織布であるか、もしくは積層延展法により製造された目付１０〜５０ｇ／ｍ2の長繊維不織布であり、片面の場合は他面が薬剤非透過性フィルムにて形成された可撓性袋に前記薬剤担持体を収納し、前記薬剤担持体が前記昇華性物質の昇華に伴い縮小しても、薬剤担持体の少なくとも一部が可撓性袋における和紙又は不織布の内面に接する構成となしたことに特徴を有する。
すなわち、特定された常温揮散性薬剤の昇華性物質に対する担持量を０．５〜２．０重量％に設定するとともに、これを収納する可撓性袋の目付やラミネートフィルムの肉厚の範囲を組み合わせることによって、常温揮散性薬剤の揮散終了と昇華性物質の昇華終了をほぼ同時期に調整することが可能となり、明確な使用の終点表示機能を達成したものである。
【００１４】
和紙又は不織布の材質は、昇華性物質から滲出する常温揮散性薬剤を含浸、拡散せしめ得るものであれば全て使用可能である。但し、和紙又は不織布の目付が１０ｇ／ｍ2未満であると、昇華性物質の表面に滲出した常温揮散性薬剤の和紙又は不織布への移行・拡散が十分でなく、常温揮散性薬剤の揮散効率が昇華性物質の昇華効率に比して低下し、常温揮散性薬剤の揮散終了と昇華性物質の昇華終了をほぼ同時期に調整することが難しくなる。
一方、和紙又は不織布の目付が５０ｇ／ｍ2を超えた場合でも、常温揮散性薬剤の揮散や昇華性物質の昇華制御に困難を伴うことが認められた。加えて、可撓性が損なわれたり、あるいは不透明度が増して外から昇華性物質の消失が視認しずらくなるため本発明の目的に合致しない。
【００１５】
和紙又は不織布の内面にラミネートされる薬剤透過性フィルムの材質としては、ポリエチレン（ＰＥ）やポリプロピレン（ＰＰ）などのポリオレフィン、あるいはエチレンビニルアセテート（ＥＶＡ）が適当であり、その肉厚は１０〜３０μｍの範囲に特定される。
すなわち、この範囲を外れると常温揮散性薬剤の揮散や昇華性物質の昇華制御がうまくいかず、本発明の優れた効果は、常温揮散性薬剤の昇華性物質に対する担持量と、薬剤担持体を収納する可撓性袋の和紙又は不織布の目付とラミネートフィルムの肉厚の範囲を組み合わせて初めて達成される。
【００１６】
また、本発明では、可撓性袋の両面又は片面の素材として、積層延展法により製造された目付１０〜５０ｇ／ｍ2の長繊維不織布を用いることもできる。
例えば、特殊ポリエステルと特殊ポリプロピレンの多層構造からなる帝人製の長繊維不織布（商品名：メルフィット）等があげられ、通気性やヒートシール性にも優れている。
【００１７】
可撓性袋の片面が前記和紙、不織布又は長繊維不織布の場合、他面を薬剤非透過性フィルムで形成してもよい。ここで、薬剤非透過性フィルムとしては、ポリエステル（ＰＥＴ、ＰＢＴなど）、ポリアミド、ポリアセタール、ポリアクリルニトリルなどがあげられ、その肉厚は可撓性を損なわない範囲で決定される。また、デザイン性やキャラクター性を付与するためにフィルムを着色したり印刷しても構わない。
そして、通常、両面をヒートシール等の手段により接着して可撓性袋を作製する。
【００１８】
本発明の防虫剤の使用量は、使用期間、防除対象空間の広さ等によって適宜決定することができるが、例えば、６ケ月用の場合、５０Ｌの引き出しあたり常温揮散性薬剤を１０〜２００ｍｇ程度昇華性物質に含有させればよい。
【００１９】
こうして得られた本発明の防虫剤は、タンス、衣装箱、クローゼットやウォークインクローゼット等の大空間収納設備などにおいて、イガ、コイガ、ヒメカツオブシムシ、ヒメマルカツオブシムシなどの衣料害虫、あるいは蚊や蚋、ハエ、ユスリカなどの各種害虫に対して優れた殺虫、防虫効果を奏する。そして、薬剤担持体の消失状態を目視するだけで簡単に、薬剤担持体の交換時期を認知できるので、極めて有用かつ実用的である。
【００２０】
次に、具体的実施例ならびに試験例に基づいて、本発明の防虫剤を更に詳細に説明する。
【実施例１】
【００２１】
図１は本発明の防虫剤の一実施例（可撓性袋の両面が和紙）の断面図を示す。
防虫剤１は、常温揮散性薬剤を昇華性物質に担持させてなる薬剤担持体２を可撓性袋３に収納したもので、可撓性袋３は和紙４とその内面にラミネートされた薬剤透過性フィルム５とから構成されている。
本実施例では、常温揮散性薬剤であるプロフルトリン２０ｍｇを、厚さ７ｍｍで円盤状のサンサブリ（青色に着色）２．０ｇに担持させた薬剤担持体（昇華性物質に対する薬剤担持量：１．０％）２を調製し、この２個を容積約５０Ｌの引き出しに入れて１年間使用する設計とした。また、和紙の目付は２０ｇ／ｍ2で、その内面ラミネートに用いたポリエチレンの肉厚は１５μであった。
【００２２】
本防虫剤１を衣類が収納されたタンスの引き出しに入れて使用した。１年間にわたり、衣料害虫の食害を受けることがなく、衣類に対する滲み等の問題も認められなかった。また、使用経過とともに青色のサンサブリが徐々に縮小し、約１年後の時点で全て消失した。本防虫剤１は、使いやすく終点表示が明確であり、極めて実用的であった。
【実施例２】
【００２３】
図２は本発明の防虫剤の他の実施例（可撓性袋の片面が和紙で他面が薬剤非透過性フィルム）の断面図を示す。
可撓性袋３の片面は、和紙４とその内面にラミネートされた薬剤透過性フィルム５とから構成され、一方他面は薬剤非透過性のポリエステルフィルム６である。
本実施例では、常温揮散性薬剤であるエムペントリン１２０ｍｇを、厚さ７ｍｍで円盤状のサンサブリ（青色に着色）１０ｇに担持させた薬剤担持体（昇華性物質に対する薬剤担持量：１．２％）２を調製し、この４個を容積約８００Ｌの洋服タンスに入れて１年間使用する設計とした。また、和紙の目付は２５ｇ／ｍ2で、その内面ラミネートに用いたポリエチレンの肉厚は１２μであった。
【００２４】
本防虫剤１を洋服タンスに吊るして１年間使用した。その間、衣料害虫から衣類を完全に保護することができ、また、約１年後の時点で、エムペントリンの残量とサンサブリの残量がともに僅かで、優れた終点表示機能を有することが認められた。
【実施例３】
【００２５】
実施例１に準じ、表１に示す各種の薬剤担持体２と可撓性袋３を調製した。２５℃の条件下で５０Ｌの衣装箱に入れて実施した揮散試験の結果を表２に示す。なお、常温揮散性薬剤と昇華性物質の時間経過に伴う残存量は、初期値に対する相対比で示した。
【００２６】
【表１】
2006296351.tif 000003
【００２７】
【表２】
2006296351.tif 000004
【００２８】
本発明の防虫剤は、１年間にわたり、常温揮散性薬剤の揮散と昇華性物質の昇華がほぼ平行して進行し、両者がほぼ同時期に終了することから、本発明の優れた終点表示機能が確認された。
これに対し、比較例１や２のように、昇華性物質に対する常温揮散性薬剤の担持量が１．５％を越えると、和紙又は不織布への滲み出しが避けられなかった。和紙の目付量を大きくした比較例３の場合、滲み出しの問題は幾分改善されるものの、常温揮散性薬剤の揮散や昇華性物質の昇華制御が難しくなり、また不透明度が増して昇華性物質の消失が視認しずらくなった。一方、比較例４の如く、和紙の目付量が１０ｇ／ｍ2未満であると、昇華性物質の表面に滲出した常温揮散性薬剤の和紙への移行・拡散が十分でなく、常温揮散性薬剤の揮散効率が昇華性物質の昇華効率に比して低下した。更に、比較例５や６のように、和紙の内面にラミネートされる透過性フィルムの肉厚が１０〜３０μｍの範囲を外れると常温揮散性薬剤の揮散や昇華性物質の昇華制御がうまくいかず、本発明の目的に合致しなかった。
【図面の簡単な説明】
【００２９】
【図１】本発明の防虫剤の一実施例の断面図を示す。
【図２】本発明の防虫剤の他の実施例の断面図を示す。
【符号の説明】
【００３０】
１：防虫剤
２：薬剤担持体
３：可撓性袋
４：和紙
５：薬剤透過性フィルム
６：薬剤非透過性フィルム
【図１】
2006296351.tif 000005
【図２】
2006296351.tif 000006